(57)【特許請求の範囲】
【請求項１】
躯体に貫通形成されている断面矩形又は略矩形状の挿通孔の内周面とこれに挿通された挿通体との間の環状空間において、防火用充填材を受止め支持する充填材支持具であって、
前記挿通孔の長辺方向両側部に対して開口側から装着される一対の支持金具を備え、各支持金具が、前記環状空間の幅よりも狭い幅で挿通孔の短辺側内面と両長辺側内面に沿って略コの字状に形成され、かつ、挿通孔の入隅に対応する両角部が湾曲形成されている充填材用受止め部と、該受止め部の複数箇所から延出された挿通孔の開口縁に係止固定可能な掛け止め部から構成されているとともに、前記受止め部の長辺側部分には、挿通体側に向かって突設する支持片が形成されている充填材支持具。
【請求項２】
躯体に貫通形成されている断面矩形又は略矩形状の挿通孔の内周面とこれに挿通された挿通体との間の環状空間において、防火用充填材を受止め支持する充填材支持具であって、
前記挿通孔の長辺方向両側部に対して開口側から装着される一対の支持金具と、前記挿通孔の長辺方向中間部に対して開口側から装着される補助支持金具とを備え、各支持金具が、前記環状空間の幅よりも狭い幅で挿通孔の短辺側内面と両長辺側内面に沿って略コの字状に形成され、かつ、挿通孔の入隅に対応する両角部が湾曲形成されている充填材用受止め部と、該受止め部の複数箇所から延出された挿通孔の開口縁に係止固定可能な掛け止め部から構成されているとともに、前記補助支持金具が、前記両支持金具の受止め部で受止められた充填材を支持する受け部と該受け部から延出された挿通孔の開口縁に係止固定可能な掛け止め部から構成され、更に、前記各支持金具の受止め部の両長辺側部分には、挿通体側に向かって突設する支持片が形成されている充填材支持具。
【請求項３】
前記充填材用受止め部の湾曲角部の一箇所又は複数箇所には、内方側に向かって開口する切込みが形成されている請求項１又は２記載の充填材支持具。
【請求項４】
前記支持金具の掛け止め部が、充填材用受止め部の両長辺側部分の先端と短辺側部分の短辺方向中央部位の三箇所に設けられている請求項１〜３のいずれか１項に記載の充填材支持具。
【請求項５】
前記支持片が、充填材用受止め部の両長辺側部分における湾曲角部側に変位した部位に形成されている請求項１〜４のいずれか１項に記載の充填材支持具。
【請求項６】
前記補助支持金具の受け部には、該受け部を短辺方向中間位置で長辺方向に沿って折り曲げ又は破断分離可能な脆弱部が形成されている請求項２記載の充填材支持具。
【請求項７】
前記脆弱部が、長辺方向に沿って断続する複数の貫通孔から構成されている請求項６記載の充填材支持具。
【請求項８】
請求項２〜７のいずれか１項に記載の充填材支持具に用いられる補助支持金具の複数個が分離用の脆弱部を介して連結されている補助支持金具連結体。
【発明の詳細な説明】
【技術分野】
【０００１】
本発明は、躯体に貫通形成されている断面矩形又は略矩形状の挿通孔の内周面とこれに挿通された挿通体との間の環状空間において、防火用充填材を受止め支持する充填材支持具及びそれに用いられる部品の改良に関する。
【背景技術】
【０００２】
従来の充填材支持具１００は、図１３に示すように、挿通孔Ｂ１の開口縁に係止且つ止着可能な係止め片１０１と、挿通孔Ｂ１内面から挿通体Ｃに向けて延出する延出片１０２とが段差配置に一体形成された断面階段形状の基礎台１０３を備え、このような一対の基礎台１０３を対向配置の状態で、互いに向き合う延出片１０２を、蟻溝１０４が形成されたチャンネル材１０５の端部から差し込んで支持して挿通孔Ｂ１の断面形状に対応する上向きコ字状の受止台１０６と、挿通体Ｃと挿通孔Ｂ１の一方の長辺側内面Ｂｂと他方の長辺側内面Ｂｂとの隙間形状に対応する支持板１０７とを備えて構成されている。
そして、このような充填材支持具１００では、図１４に示すように、前記受止台１０６を挿通孔Ｂ１の両端部分に装着し、挿通孔Ｂ１の中央部分に対向配置に基礎台１０３を装着し、各支持板１０７を挿通孔Ｂ１の開口側から挿入して受止台１０６と基礎台１０３に支持させ、挿通孔Ｂ１と挿通体Ｃとの間の隙間に充填された防火用充填材１０８を受止め支持する構成になっている。この従来例は現行の技術であるが特許文献に該当するものを見出せなかった。
【発明の開示】
【発明が解決しようとする課題】
【０００３】
しかしながら、このような充填材支持具は、挿通体に対応する支持板の一側部分は、現場において挿通孔に挿通されている挿通体の外面形状に切り取り等によって整形する必要があるとともに、支持板の挿通体側端部は対応する挿通体の外面形状に切取り等によって対応する加工を現場で行なう支持構造であるため、施工手間がかかる問題がある。
また、この充填材支持具にあっては、挿通孔の長手方向の長さが異なれば、異なる長さに形成された支持板が用いられるため、充填施工時の現場対応性が悪い問題が指摘されている。
【０００４】
本発明は上記の事情に鑑みてなされたものであり、その第１の目的とするところは、施工性の向上と現場対応性の向上を図ることができる充填材支持具を提供する点にある。
第２の目的とするところは、使い勝手や取扱い性の向上を図った補助支持金具連結体を提供する点にある。
【課題を解決するための手段】
【０００５】
本発明の第１番目の充填材支持具の特徴構成は、躯体に貫通形成されている断面矩形又は略矩形状の挿通孔の内周面とこれに挿通された挿通体との間の環状空間に防火用充填材を受止め支持する構成において、
前記挿通孔の長辺方向両側部に対して開口側から装着される一対の支持金具を備え、各支持金具が、前記環状空間の幅よりも狭い幅で挿通孔の短辺側内面と両長辺側内面に沿って略コの字状に形成され、かつ、挿通孔の入隅に対応する両角部が湾曲形成されている充填材用受止め部と、該受止め部の複数箇所から延出された挿通孔の開口縁に係止固定可能な掛け止め部から構成されているとともに、前記受止め部の長辺側部分には、挿通体側に向かって突設する支持片が形成されている点にある。
【０００６】
このような構成によれば、挿通孔の入隅に対応する充填材用受止め部の両角部が湾曲形成されているので、挿通孔端部の短辺側内面と長辺側内面とに囲まれた隙間部分に、短辺側内面に沿う充填材用受止め部の受け部分と長辺側内面に沿う充填材用受止め部の受け部分とが存在して、この端部隙間内に充填された防火用充填材を支持することができるとともに、
長辺側部分と挿通体の間の隙間に一対の支持金具の夫々の長辺側内面に沿う充填材用受止め部の受け部分が存在し、しかも、その受け部分に支持片が突設形成されているので、長辺側部分と挿通体との間の隙間に充填された防火用充填材を支持することができる。
従って、環状隙間に部分的に充填材用受止め部が存在しない空き部分があっても、一対の支持金具によって挿通孔とこれに挿通される挿通体との間の環状隙間に充填される防火用充填材を支持することができるので、部品点数や支持金具の構造の簡素化を図りながらも、防火用充填材の良好な支持機能を備え、且つ、従来のように挿通孔の長手方向の長さに左右される部品構成ではないので、施工性や現場対応性に優れている。
【０００７】
本発明の第２番目の充填材支持具の特徴構成は、躯体に貫通形成されている断面矩形又は略矩形状の挿通孔の内周面とこれに挿通された挿通体との間の環状空間において、防火用充填材を受止め支持する充填材支持具であって、
前記挿通孔の長辺方向両側部に対して開口側から装着される一対の支持金具と、前記挿通孔の長辺方向中間部に対して開口側から装着される補助支持金具とを備え、各支持金具が、前記環状空間の幅よりも狭い幅で挿通孔の短辺側内面と両長辺側内面に沿って略コの字状に形成され、かつ、挿通孔の入隅に対応する両角部が湾曲形成されている充填材用受止め部と、該受止め部の複数箇所から延出された挿通孔の開口縁に係止固定可能な掛け止め部から構成されているとともに、前記補助支持金具が、前記両支持金具の充填材用受止め部で受止められた充填材を支持する受け部と該受け部から延出された挿通孔の開口縁に係止固定可能な掛け止め部から構成され、更に、前記各支持金具の充填材用受止め部の両長辺側部分には、挿通体側に向かって突設する支持片が形成されている点にある。
【０００８】
このような構成によれば、挿通孔の入隅に対応する充填材用受止め部の両角部が湾曲形成されているので、挿通孔端部の短辺側内面と長辺側内面とに囲まれた隙間部分に、短辺側内面に沿う充填材用受止め部の受け部分と長辺側内面に沿う充填材用受止め部の受け部分とが存在して、この端部隙間内に充填された防火用充填材を支持することができる。
また、長辺側部分と挿通体の間の隙間に一対の支持金具の夫々の長辺側内面に沿う充填材用受止め部の受け部分が存在し、しかも、その受け部分に支持片が突設形成されているので、長辺側部分と挿通体との間の隙間に充填された防火用充填材を支持することができる。
さらに、挿通孔の長辺方向中間部に対して開口側から装着される補助支持金具を備えているので、一対の支持金具による防火用充填材の支持を補助することができ、挿通孔の長手方向の長さが長い場合に好適に、長辺側部分と挿通体との間の隙間に充填された防火用充填材を支持することができる。
従って、挿通孔とこれに挿通される挿通体との間の環状隙間に充填される防火用充填材を、一対の支持金具と補助支持金具によって支持することができ、環状隙間に充填材用受止め部が存在しない空き部分があっても確実に防火用充填材を支持することができるので、部品点数や支持金具の構造の簡素化を図りながらも、防火用充填材の良好な支持機能を備え、且つ、従来のように挿通孔の長手方向の長さに左右される部品構成ではないので、施工性や現場対応性に優れている。
【０００９】
本発明の第３番目の充填材支持具の特徴構成は、前記充填材用受止め部の湾曲角部の一箇所又は複数箇所には、内方側に向かって開口する切込みが形成されている点にある。
【００１０】
このような構成によれば、切込みの両側の部分を挟み持って、切込みの開口が開く方向又は閉じる方向に開閉操作することができることを利用して、適宜の切込みを開き操作と閉じ操作により調節することによって、例えば、挿通孔の対向する長辺内面間の距離が、挿通孔の両長辺側内面に沿う支持金具の充填材用受止め部同士の間隔よりも大きい場合、挿通孔の短辺側内面と両長辺側内面に沿って略コの字状に充填材用受止め部を変形することができる。
従って、挿通孔の両長辺内面の対向間隔に対応して、支持金具の対向間隔を変更操作することによって、その挿通孔に最適な支持金具として使用することができるので、現場対応性に優れ、施工性や施工品質の向上を図ることができる。
【００１１】
本発明の第４番目の充填材支持具の特徴構成は、前記支持金具の掛け止め部が、充填材用受止め部の両長辺側部分の先端と短辺側部分の短辺方向中央部位の三箇所に設けられている点にある。
【００１２】
このような構成によれば、掛け止め部の本数が少ない状態で支持金具をバランス良く挿通孔に掛け止めすることができる。
従って、挿通孔に対して防火用充填材を安定した掛け止め状態を形成することができるので、施工時の防火区画充填材の充填を能率よく実施することが可能となり、施工性の向上を図ることができる。
【００１３】
本発明の第５番目の充填材支持具の特徴構成は、前記支持片が、充填材用受止め部の両長辺側部分における湾曲角部側に変位した部位に形成されている点にある。
【００１４】
このような構成によれば、支持片が、充填材用受止め部の両長辺側部分における湾曲角部側に変位した部位に形成されていることによって、挿通孔に挿通された挿通体から離れた位置に支持片が存在する状態を形成することができるので、万が一の火災時に支持片に熱伝達が邪魔されずに防火用充填材が直接に火災熱を受ける状態を形成することができ、火災時の熱膨張を迅速に挿通体に作用する状態を形成することができる。
従って、防火用充填材を安定的に支持することができながら、火災時の挿通体に対する熱膨張の妨げにならない工夫によって、防火品質の向上を図ることができる。
【００１５】
本発明の第６番目の充填材支持具の特徴構成は、前記補助支持金具の受け部には、該受け部を短辺方向中間位置で長辺方向に沿って折り曲げ又は破断分離可能な脆弱部が形成されている点にある。
【００１６】
このような構成によれば、挿通孔に補助支持金具を装着した状態で、受け部が挿通体と干渉してしまうことが判断できる場合、脆弱部を折り曲げ又は破断して、受け部が挿通体と干渉しない受け部に大きさを変えることができる。
従って、挿通体の現状に対応させて補助支持金具を挿通孔にそのまま又は大きさを変えて係止固定することができ、防火用充填材を支持することができるといった現場対応性に優れた施工が可能となるので、施工性の向上を図ることができる。
【００１７】
本発明の第７番目の充填材支持具の特徴構成は、前記脆弱部が、長辺方向に沿って断続する複数の貫通孔から構成されている点にある。
【００１８】
このような構成によれば、例えば、簡易なプレス加工等によって貫通孔の孔開け加工して脆弱部を簡単に形成することができる。
従って、コスト面で安価に補助支持金具を作成することができる。
【００１９】
本発明の第８番目の補助支持金具連結体の特徴構成は、第２〜第７のいずれかの特徴構成の充填材支持具に用いられる補助支持金具の複数個が分離用の脆弱部を介して連結されている点にある。
【００２０】
このような構成によれば、在庫や運搬時には一つの連結体として補助支持金具を取扱うことができ、施工時には簡単に必要数の補助支持金具を分離使用することができる。
従って、使い勝手や取扱い性の向上を図ることができる。
【発明を実施するための最良の形態】
【００２１】
以下、本発明の充填材支持具の一実施例を図面に基づいて説明する。
［第１実施形態］
図１〜図１０に示す充填材支持具Ａは、躯体に貫通形成されている断面矩形又は略矩形状の床孔である挿通孔Ｂ１の内周面とこれに挿通された挿通体Ｃとの間の環状空間Ｓにおいて、防火用充填材Ｄを受止め支持するのに用いられる。
この第１実施形態においては、躯体Ｂの床孔である挿通孔Ｂ１に対して、例えば、架台Ｃ２に多数の空調配管Ｃ１ａを集結させた配管類群Ｃ１から構成された挿通体Ｃが挿通される、挿通孔Ｂ１内面と、この挿通孔Ｂ１に挿通される挿通体Ｃの露出する外面との隙間Ｓに充填される防火用充填材Ｄを支持する充填材支持具Ａについて説明する。
【００２２】
前記挿通体Ｃの構成部材である空調配管Ｃ１ａは、空調機の室内機と室外機とを配管する、送り配管、戻り配管、ドレン配管、制御ケーブルからなる配管であり、送りと戻りの両配管は、中心の金属管の周りに合成樹脂からなる断熱層を肉厚に被覆した管構造になっている。ここで、ドレン配管、制御ケーブルは図示していない。
【００２３】
前記挿通体Ｃの構成部材である架台Ｃ２は、図１に示すように、配管類群Ｃ１の配管経路に沿って設けられるものであり、配管経路に沿って間隔をあけて配管類群Ｃ１を担架する桟状の載台Ｃ２ａと、これの両端に配置された側板Ｃ２ｂとから構成されている。
【００２４】
前記充填材支持具Ａは、前記挿通孔Ｂ１の長辺方向両側部に対して開口側から装着される一対の支持金具１と、前記挿通孔Ｂ１の長辺方向中間部に対して開口側から装着される補助支持金具６とを備えている。
【００２５】
前記各支持金具１は、前記環状空間Ｓの幅よりも狭い幅で挿通孔Ｂ１の短辺側内面Ｂａと両長辺側内面Ｂｂに沿って略コの字状に形成され、かつ、挿通孔Ｂ１の入隅に対応する両角部が湾曲形成されている充填材用受止め部３と、該受止め部３の複数箇所から延出された挿通孔Ｂ１の開口縁に係止固定可能な掛け止め部４から構成されている。
【００２６】
また、前記各支持金具１の充填材用受止め部４の両長辺側部分３Ａには、挿通体Ｃ側に向かって突設する支持片２が形成されている。
【００２７】
前記支持片２は、充填材用受止め部３の両長辺側部分３Ａにおける湾曲角部３Ｃ側に変位した部位に形成されている。
【００２８】
この充填材支持具Ａは、肉厚さ約２ｍｍ程度の厚さの鋼板から形成され、例えば、打ち抜き加工によって、鋼板から展開状態の充填材用受止め部３と掛け止め部４を板状に打ち抜いた後、充填材用受止め部３に対して各掛け止め部４を直角に曲げおこしたりして形成されたり、又は、予めに、分離形成された、充填材用受止め部に対して、鍵状に折り曲げ形成された掛け止め部に設けた溶接代をスポット溶接等によって一体接合したりして形成されている。
【００２９】
前記支持金具１の掛け止め部４は、充填材用受止め部３の両長辺側部分３Ａの先端と短辺側部分３Ｂの短辺方向中央部位の三箇所に設けられている。この支持金具１の掛け止め部４は、断面倒立Ｌ字状で挿通孔Ｂ１の開口縁に係止可能で、コンクリートネジｂなどを用いて躯体ｂに固定可能なネジ受孔４ａが形成されている。
【００３０】
各支持金具１における充填材用受止め部３の湾曲角部３Ｃの３箇所には、内方側に向かって開口するＵ字形の切込み５が形成されている。この切込み５によって、例えば、切込み５の両側の部分を挟み持って、切込み５の開口が開く方向又は閉じる方向に開閉操作することができることを利用して、適宜の切込み５の開き操作又は閉じ操作を調節することによって、挿通孔Ｂ１の短辺側内面Ｂａと両長辺側内面Ｂｂに沿って略コの字状に充填材用受止め部３を形態変形することができる。
【００３１】
このことを利用して、図１２に示すように、挿通孔Ｂ１の長辺側内面Ｂｂ間の対向距離Ｔ１が、通常状態の支持金具１における充填材用受止め部３の長辺側部分３Ａの外端同士の対向間隔Ｔ２よりも大きい場合、適宜の切込み５を開き操作又は閉じ操作を調節することによって、挿通孔Ｂ１の対向する長辺内側内面Ｂｂ間の距離Ｔ１に対応するように、挿通孔Ｂ１の短辺側内面Ｂａと両長辺側内面Ｂｂに沿って略コの字状に支持金具１の充填材用受止め部３を変形することができる。図面にいては、湾曲角部３Ｃの真中の切込み５を開き操作し、両端の切込み５を閉じ操作して、挿通孔Ｂ１の略直角の内隅に対応する変形させた状態を示している。また、図面では、両湾曲角部３Ｃの切込み５を操作する例を示しているが、この例よりも対向距離Ｔ１が小さい場合、片側の湾曲角部３Ｃの切込み５を操作することで挿通孔Ｂ１の略直角の内隅に対応する変形を行なうことができる。
【００３２】
一方、前記補助支持金具６は、前記両支持金具１の充填材用受止め部３で受止められた充填材Ｄを支持する水平方向に沿う受け部６Ａと、該受け部６Ａの一端に鉛直方向に連続する脚板部６Ｅ、該脚板部６Ｅの上端から水平方向に延出された挿通孔Ｂ１の開口縁に係止固定可能な掛け止め部６Ｂから構成されている。この補助支持金具６の掛け止め部６Ｂには、コンクリートネジｂなどを用いて躯体に固定可能なネジ受孔６ｅが形成されている。
【００３３】
前記補助支持金具６の掛け止め部６Ｂの基端部には、図１、図２に示すように、基端に向う程、上方に位置するテーパー部６Ｄが一体形成され、受け部６Ａに対して直角に折り曲げ形成された脚板部６Ｅの上端部が前記テーパー部６Ｄと交差して、その交差点が掛け止め部６Ｂよりも高くなっている交差部６Ｇが形成されている。
【００３４】
挿通孔Ｂ１の開口縁に補助支持金具６を載置状態に係止した仮止め状態にあるとき、例えば、受け部６Ａに垂直荷重等の不意の外力が加わった場合、掛け止め６Ｂと受け部６Ａとの間に交差部６Ｃが存在することによって、このような交差部６Ｇが形成されていない場合に比べて、掛け止め部６Ｂが挿通孔Ｂ１に滑り移動して、補助支持金具６が挿通孔Ｂ１に滑り落ちるのを抑制することができる。
【００３５】
そのため、掛け止め部６Ｂを開口縁にコンクリートネジｂによって止着するまで安定した仮止め状態を維持することができ、挿通孔Ｂ１に対する補助支持金具６の装着性の向上を図ることができる。
【００３６】
前記補助支持金具６の受け部６Ａには、該受け部６Ａを短辺方向中間位置で長辺方向に沿って折り曲げ又は破断分離可能な脆弱部６Ｃが形成されている。脆弱部６Ｃは、長辺方向に沿って断続する複数の貫通孔６ｆから構成されている。
【００３７】
この脆弱部６Ｃは、例えば、簡易なプレス加工等によって貫通孔６ｆの孔開け加工して形成され、防火用充填材Ｄの支持に十分で且つ人的な折り曲げ操作が可能に設定されている。
【００３８】
前記防火用充填材Ｄとしては、図２に示すように、架台Ｃ２の側板Ｃ２ｂとこれに対面する挿通孔Ｂ１の両端部における短辺側内面Ｂａと長辺側内面Ｂｂで囲まれた端部隙間Ｓ１に着脱自在に充填可能な大きさに形成された第１防火用充填材Ｄ１と、
この第１防火用充填材Ｄ１が挿通孔Ｂ１の両端部の端部隙間Ｓ１に充填された状態で、挿通孔Ｂ１の長辺側内面Ｂｂと挿通体Ｃとの間の中間隙間Ｓ２に着脱自在に充填可能な第２防火用充填材Ｄ２と、
同じく、この第２防火用充填材Ｄ２の肉厚より肉薄で、第２防火用充填材Ｄ２の略１/３程度の長さに形成され、挿通孔Ｂ１の長辺側内面Ｂｂと挿通体Ｃとの間の中間隙間Ｓ２に着脱自在な第３防火用充填材Ｄ３と、
前記第１〜第３防火用充填材Ｄ１，Ｄ２，Ｄ３と挿通体Ｃとの間に形成される残りの細分化された小隙間Ｓ３に、柔軟性を有する少なくとも一枚の補填用熱膨張性耐火材シートＤ４からなる、大きさや形態が異なる４種類を備えて構成されている。
【００３９】
また、防火用充填材Ｄである第１〜第３防火用充填材Ｄ１の充填方向の長さＬ３は、挿通孔Ｂ１の貫通長さと同一又は略同一の長さに形成され、充填方向と直交する長さは、挿通孔Ｂ１の短辺側内面と架台Ｃ２の側板Ｃ２ｂとの離隔距離Ｌ５と同一又は略同一の長さに形成されている。挿通孔Ｂ１の内面と架台Ｃ２の側板Ｃ２ｂとの離隔距離は、挿通孔Ｂ１の大きさが異なっても同じ距離寸法に規定されている。
【００４０】
この実施字形態の第１〜第３防火用充填材Ｄ１，Ｄ２，Ｄ３は、図３、図４に示すように、不燃性ブロック７の長さに対応する幅を有して長尺な熱膨張性耐火材シート８を２層状態に巻装して設け、これら不燃性ブロック７とこれに巻装された熱膨張性耐火材シート８を袋体３に収納されて構成されている。ここで、この構成に限るものではなく、第１〜第３防火用充填材Ｄ１，Ｄ２，Ｄ３として、例えば、袋体に熱膨張性耐火材を粒状にした集合体を収納する構成であっても、袋体に熱膨張性耐火材から形成されたブロック体を収納する構成であっても、熱膨張性耐火材を粒状にした集合体と熱膨張性耐火材から形成されたブロック体を混在状態で収納する構成等であってもよい。
【００４１】
このような構成によれば、図２、図３、図６に示すように、挿通孔Ｂ１の両端部に開口側から支持金具１の充填材用受止め部３を差し入れて掛け止め部４を挿通孔Ｂ１の開口縁に係止した後、掛け止め部４のネジ受孔４ａを通してコンクリートネジｂを開口縁に螺入して固定して、挿通孔Ｂ１の両端部に合わせて一対の支持金具１を装着する。
【００４２】
次に、挿通孔Ｂ１の長辺方向中間部に対して開口側から装着される受け部６Ａを差し入れて掛け止め部６Ｂを挿通孔Ｂ１の開口縁に係止した後、掛け止め部６Ｂのネジ受孔６ｄを通してコンクリートネジｂを開口縁に螺入して固定して、挿通孔Ｂ１の各長辺方向中間部に補助支持金具６を装着する。
【００４３】
次に、図７に示すように、第１防火用充填材Ｄ５を、架台Ｃ２の側板Ｃ２ｂとこれに対面する挿通孔Ｂ１の両端部における短辺側内面Ｂａと長辺側内面Ｂｂで囲まれた挿通孔Ｂ１の両端部の端部隙間Ｓ１に充填する。
第２、第３防火用充填材Ｄ２，Ｄ３を、挿通孔Ｂ１の長辺側内面Ｂｂと挿通体Ｂ１との間の中間隙間Ｓ１に充填する。
【００４４】
補填用熱膨張性耐火材シートＤ５を、一枚状態や切れ端状態や複数の積層状態で前記第１〜第３防火用充填材Ｄ１，Ｄ２，Ｄ３と挿通体Ｃとの間に形成される残りの細分化された隙間Ｓ３に充填する。
【００４５】
挿通孔Ｂ１とこれに挿通される挿通体Ｃとの間の環状隙間Ｓに充填材支持具Ａで支持された状態で第１〜第３防火用充填材Ｄ１，Ｄ２，Ｄ３、及び、補填用熱膨張性耐火材シートＤ５を充填することができる。
【００４６】
そのため、挿通孔Ｂ１には、第１〜第３防火用充填材Ｄ１，Ｄ２，Ｄ３、及び、補填用熱膨張性耐火材シートＤ５がはみ出ることがない整然とした状態に充填することができる。このことによって、万が一の火災に遭遇した場合、火災熱を受けて挿通体Ｃを構成する多数の空調配管Ｃ１ａを集結させた配管類群Ｃ１の焼失分を補うように挿通孔Ｂ１と挿通体Ｃとの間で、防火用充填材Ｄである第１〜第３防火用充填材Ｄ１，Ｄ２，Ｄ３の熱膨張性耐火材シート８、補填用熱膨張性耐火材シートＤ５が膨張して、例えば、挿通孔Ｂ１の火災が生じている一方の開口側の部屋から他方の開口側の部屋に火災の延焼を遅延化することができる。
【００４７】
［第２実施形態］
この第２実施形態は上記第１実施形態と異なる点を説明し、第１実施形態と同様構成部分には同符号を附してその詳細は省略する。
【００４８】
補助支持金具６は、図１１に示すように、補助支持金具６の複数個が分離用の脆弱部６０Ａを介して並列に連結されている補助支持金具連結体６０から、必要数を脆弱部６０Ａから分離使用することができる。
【００４９】
また、補助支持金具連結体６０の各補助支持金具６の受け部６Ａには、該受け部６Ａを短辺方向中間位置で長辺方向に沿って折り曲げ又は破断分離可能な脆弱部６Ｃが形成されている。この脆弱部６Ｃは、長辺方向に沿って断続する複数の貫通孔６ｅから構成されている。
【００５０】
そして、挿通孔Ｂ１の長辺側内面Ｂｂの長さが長い場合、挿通孔Ｂ１の長辺方向中間部に装着される補助支持金具６の数を増やして、防火用充填材Ｄの支持品質を補助することができる。
【００５１】
この第２実施形態では、挿通孔Ｂ１の各長辺に１個を装着して全部で２個の補助支持金具６を使用する例を図示したが、より長い挿通孔Ｂ１の場合、挿通孔Ｂ１の各長辺側内面Ｂｂに沿って２個を装着して全部で４個の補助支持金具６を使用し、支持品質の向上を図るものであってもよい。
【００５２】
この場合、使用に際して、補助支持金具連結体６０から補助支持金具６の必要数を分離して使用することができるので、施工の段取り等において取扱い性を良好にすることができる。
尚、この第２実施形態では、４個の補助支持金具６を連結した例を図示したが、２個の補助支持金具を連結するものであっても、４個以上を連結されたものであってもよい。
【００５３】
［別実施形態］
１）上記実施形態では、鋼鈑製の充填材支持具Ａを説明したが、本発明はこれに限らず、金網製の充填材支持具であってもよい。
【００５４】
２）上記実施形態では、躯体Ｂの床孔である挿通孔Ｂ１に対して装着可能な充填材支持具Ａを説明したが、本発明はこれに限らず、躯体Ｂの壁孔である挿通孔に対して装着可能な充填材支持具に適用してもよい。
また、孔経路長さが在るような挿通孔の場合、このような挿通孔の一方の開口側と他方の開口側との夫々に充填材支持具を装着するものであってもよい。この場合、装着された填材支持具より奥側に防火用充填材を充填する無駄を回避することができる。
【００５５】
３）上記実施形態の充填材支持具Ａは、
【図面の簡単な説明】
【００５６】
【図１】挿通孔と挿通体と充填材支持具とを示す簡略分解斜視図
【図２】挿通孔に充填材支持具を装着した状態を示す簡略斜視図
【図３】耐火用充填材を示す簡略断面図
【図４】挿通孔と挿通体との間の環状隙間と防火用充填材とを示す簡略分解斜視図
【図５】挿通孔に挿通体が挿通している状態を示す平面図
【図６】挿通体が挿通している挿通孔に充填材支持具を装着した状態を示す平面図
【図７】挿通孔と挿通体との間の環状隙間に防火用充填材を充填した状態を示す平面図
【図８】挿通孔と挿通体との間の環状隙間に防火用充填材を充填した状態を示す要部平面図
【図９】挿通孔と挿通体との間の端部隙間に防火用充填材を充填した状態を示す縦断面図
【図１０】挿通孔と挿通体との間の中間隙間に防火用充填材を充填した状態を示す平面図
【図１１】補助支持金具連結体を示す斜視図
【図１２】挿通孔の対向する長辺側内面間の間隔に支持金具を変形させた状態を示す説明図
【図１３】従来の充填材支持具を示す簡略分斜視図
【図１４】従来の充填材支持具を示す簡略断面図
【符号の説明】
【００５７】
Ａ          充填材支持具
Ｂ          躯体
Ｂａ        短辺側内面
Ｂｂ        長辺側内面
Ｂ１        挿通孔
Ｃ          挿通体
Ｄ          防火用充填材
Ｓ          環状隙間
１          支持金具
２          支持片
３          充填材用受止め部
４          掛け止め部
５          切込み
６          補助支持金具
６０        補助支持金具連結体
６０Ａ      脆弱部
【図１】
0004791838.tif 000002
【図２】
0004791838.tif 000003
【図３】
0004791838.tif 000004
【図４】
0004791838.tif 000005
【図５】
0004791838.tif 000006
【図６】
0004791838.tif 000007
【図７】
0004791838.tif 000008
【図８】
0004791838.tif 000009
【図９】
0004791838.tif 000010
【図１０】
0004791838.tif 000011
【図１１】
0004791838.tif 000012
【図１２】
0004791838.tif 000013
【図１３】
0004791838.tif 000014
【図１４】
0004791838.tif 000015